(57)【要約】【課題】  簡便に利用できる画像読取管理システムを提供すること。【解決手段】  ユーザが使用するユーザ端末１１と、画像の読取を行なう画像読取装置１３と、画像読取装置１３における画像読取に関する設定情報を格納するスキャン設定サーバ１２と、を含む画像読取システムである。スキャン設定サーバ１２は、ユーザ端末１１から、設定情報及び、読みとった画像データの格納先情報を受信し、格納し、前記設定情報及び前記格納先情報に対応するＩＤを発行する。画像読取装置１３は、ＩＤを入力して、スキャン設定サーバ１２に送信し、送信したＩＤの応答として、設定情報及び格納先情報を受信する。更に、受信した設定情報を用いて画像読取を行ない、得た画像データを格納先情報に応じた装置１６に対して送信する。【選択図】  図１
2007336399.tif 000002
【特許請求の範囲】
【請求項１】
ユーザが使用するユーザ端末と、画像の読取を行なう画像読取装置と、該画像読取装置における画像読取に関する設定情報を格納するスキャン設定サーバと、を含む画像読取システムであって、
前記スキャン設定サーバは、
ユーザ端末から、前記設定情報及び、読みとった画像データの格納先情報を受信する受信手段と、
受信した前記設定情報及び前記格納先情報を格納する格納手段と、
前記格納手段に格納された前記設定情報及び前記格納先情報に対応するＩＤを発行して前記ユーザ端末に送信するＩＤ送信手段と、
を有し、
前記画像読取装置は、
前記ＩＤを入力する入力手段と、
入力した前記ＩＤを前記スキャン設定サーバに送信する送信手段と、
送信した前記ＩＤの応答として、前記設定情報及び前記格納先情報を受信する受信手段と、
受信した前記設定情報を用いて画像読取を行なう画像読取手段と、
画像を読みとって得た画像データを前記格納先情報に応じた装置に対して送信するアップロード手段と、
を含むことを特徴とする画像読取システム。
【請求項２】
前記画像読取装置はインターネットに接続され、
前記ユーザ端末は、イントラネットに接続され、
前記スキャン設定サーバは、インターネット及び前記イントラネットに接続されることを特徴とする請求項１に記載の画像読取システム。
【請求項３】
更に、前記画像読取装置と前記スキャン設定サーバとの間で前記ＩＤ及び前記設定情報のやりとりを中継するスキャン設定サービス装置と、
前記画像読取装置で読みとった画像を管理する画像管理サーバと、
前記画像読取装置と、前記画像管理サーバとの間で、画像データを中継するため、仮に画像の登録を行なう仮登録サーバと、
を更に備えることを特徴とする請求項１に記載の画像読取システム。
【請求項４】
前記スキャン設定サービス装置は、前記画像読取装置に対して仮登録アドレスと最終登録アドレスを通知し、前記画像読取装置は、前記画像データに最終登録アドレスを付与して、仮登録アドレス先としての前記仮登録サーバに画像を送信することを特徴とする請求項３に記載の画像読取システム。
【請求項５】
画像の読取を行なう画像読取装置と、画像読取に関する履歴情報を格納するスキャン履歴サーバと、を含む画像読取システムであって、
前記スキャン履歴サーバは、
画像読取時の前記設定情報と、読みとった画像の格納先を示す格納先情報とを前記履歴情報として格納する格納手段と、
前記格納手段に格納された前記設定情報に対応するＩＤを発行するＩＤ発行手段と、
を有し、
前記画像読取装置は、
前記ＩＤを入力する入力手段と、
入力した前記ＩＤを前記スキャン履歴サーバに送信する送信手段と、
送信した前記ＩＤの応答として、前記設定情報及び前記格納先情報を受信する受信手段と、
受信した前記設定情報を用いて画像読取を行なう画像読取手段と、
画像を読みとって得た画像データを前記格納先情報に応じた装置に対して送信するアップロード手段と、
を含むことを特徴とする画像読取システム。
【請求項６】
前記画像読取装置はインターネットに接続され、
前記ユーザ端末は、イントラネットに接続され、
前記スキャン履歴サーバは、インターネット及び前記イントラネットに接続されることを特徴とする請求項５に記載の画像読取システム。
【請求項７】
更に、前記画像読取装置と前記スキャン履歴サーバとの間で前記ＩＤ及び前記設定情報のやりとりを中継するスキャン履歴サービス装置と、
前記画像読取装置で読みとった画像を管理する画像管理サーバと、
前記画像読取装置と、前記画像管理サーバとの間で、画像データを中継するため、仮に画像の登録を行なう仮登録サーバと、
を更に備えることを特徴とする請求項５に記載の画像読取システム。
【請求項８】
前記スキャン履歴サービス装置は、前記画像読取装置に対して仮登録アドレスと最終登録アドレスを通知し、前記画像読取装置は、前記画像データに最終登録アドレスを付与して、仮登録アドレス先としての前記仮登録サーバに画像を送信することを特徴とする請求項７に記載の画像読取システム。
【請求項９】
ユーザが使用するユーザ端末と、画像の読取を行なう画像読取装置と、該画像読取装置における画像読取に関する設定情報を格納するスキャン設定サーバと、を含む画像読取システムの制御方法であって、
前記スキャン設定サーバにおいて、
ユーザ端末から、前記設定情報及び、読みとった画像データの格納先情報を受信する受信工程と、
受信した前記設定情報及び前記格納先情報を格納する格納工程と、
前記格納工程に格納された前記設定情報及び前記格納先情報に対応するＩＤを発行して前記ユーザ端末に送信するＩＤ送信工程と、
を有し、
前記画像読取装置において、
前記ＩＤを入力する入力工程と、
入力した前記ＩＤを前記スキャン設定サーバに送信する送信工程と、
送信した前記ＩＤの応答として、前記設定情報及び前記格納先情報を受信する受信工程と、
受信した前記設定情報を用いて画像読取を行なう画像読取工程と、
画像を読みとって得た画像データを前記格納先情報に応じた装置に対して送信するアップロード工程と、
を有することを特徴とする画像読取システムの制御方法。
【請求項１０】
画像の読取を行なう画像読取装置と、画像読取に関する履歴情報を格納するスキャン履歴サーバと、を含む画像読取システムの制御方法であって、
前記スキャン履歴サーバにおいて、
画像読取時の前記設定情報と、読みとった画像の格納先を示す格納先情報とを前記履歴情報として格納する格納工程と、
前記格納工程に格納された前記設定情報に対応するＩＤを発行するＩＤ発行工程と、
を有し、
前記画像読取装置において、
前記ＩＤを入力する入力工程と、
入力した前記ＩＤを前記スキャン履歴サーバに送信する送信工程と、
送信した前記ＩＤの応答として、前記設定情報及び前記格納先情報を受信する受信工程と、
受信した前記設定情報を用いて画像読取を行なう画像読取工程と、
画像を読みとって得た画像データを前記格納先情報に応じた装置に対して送信するアップロード工程と、
を有することを特徴とする画像読取システムの制御方法。
【請求項１１】
ユーザが使用するユーザ端末と、画像の読取を行なう画像読取装置と、該画像読取装置における画像読取に関する設定情報を格納するスキャン設定サーバと、を含む画像読取システムの制御プログラムであって、
前記スキャン設定サーバに、
ユーザ端末から、前記設定情報及び、読みとった画像データの格納先情報を受信する受信工程と、
受信した前記設定情報及び前記格納先情報を格納する格納工程と、
前記格納工程に格納された前記設定情報及び前記格納先情報に対応するＩＤを発行して前記ユーザ端末に送信するＩＤ送信工程と、
を実行させ、
前記画像読取装置に、
前記ＩＤを入力する入力工程と、
入力した前記ＩＤを前記スキャン設定サーバに送信する送信工程と、
送信した前記ＩＤの応答として、前記設定情報及び前記格納先情報を受信する受信工程と、
受信した前記設定情報を用いて画像読取を行なう画像読取工程と、
画像を読みとって得た画像データを前記格納先情報に応じた装置に対して送信するアップロード工程と、
を実行させることを特徴とする画像読取システムの制御プログラム。
【請求項１２】
画像の読取を行なう画像読取装置と、画像読取に関する履歴情報を格納するスキャン履歴サーバと、を含む画像読取システムの制御プログラムであって、
前記スキャン履歴サーバに、
画像読取時の前記設定情報と、読みとった画像の格納先を示す格納先情報とを前記履歴情報として格納する格納工程と、
前記格納工程に格納された前記設定情報に対応するＩＤを発行するＩＤ発行工程と、
を実行させ、
前記画像読取装置に、
前記ＩＤを入力する入力工程と、
入力した前記ＩＤを前記スキャン履歴サーバに送信する送信工程と、
送信した前記ＩＤの応答として、前記設定情報及び前記格納先情報を受信する受信工程と、
受信した前記設定情報を用いて画像読取を行なう画像読取工程と、
画像を読みとって得た画像データを前記格納先情報に応じた装置に対して送信するアップロード工程と、
を実行させることを特徴とする画像読取システムの制御プログラム。
【発明の詳細な説明】
【技術分野】
【０００１】
本発明は、画像読取システム及びその方法並びにプログラムに関する。
【背景技術】
【０００２】
従来から、ネットワークに繋がったユーザ間で共有できるネットワークスキャナまたはその機能を有する装置が知られている。特に、最近では、スキャン画像データを、メールやＦＴＰを用いて外部の画像保存システムに送る装置が知られている（特許文献１参照）。
【０００３】
一方、コンピュータ上の画像を共有する方法も、様々に発達してきた。特に、World Wide Web(以下ＷＷＷ)を用いたファイル共有・画像保管サービスが考案されており、パッケージソフトをはじめ、ＡＳＰサービスとして多く提供されている。
【０００４】
このようなファイル共有・画像保管サービスにおいて、スキャン結果をネットワークを介して画像保管サーバに保管することが可能となり、そのようなスキャナ側のソフトウェアとＡＳＰサービスが提供されている。
【特許文献１】特開２００２-３００３６２
【発明の開示】
【発明が解決しようとする課題】
【０００５】
ところが、スキャンした画像を、インターネットを介して、画像管理サーバに登録する場合には、スキャナ装置側のコントロールパネルに対して、非常に多くの設定情報を入力する必要があり、設定作業が繁雑になる。
【０００６】
また、インターネットに接続されたスキャナ装置でスキャンした画像を、イントラネット内に設けられた画像管理サーバに対して保存する方法は、存在していなかった。これは、イントラネットとインターネットとの間で、宛先情報の指定方法が異なり、受け渡しができないからである。或いは、イントラネット内の画像管理サーバへ外部からアクセスできないからである。
【０００７】
本発明は上記従来技術の課題を解決するためになされたものであり、簡便に利用できる画像読取管理システムを提供することにある。具体的には、インターネット上のスキャナ装置を用いて、イントラネット内に管理されたスキャン設定に応じたスキャンを行ない、更にイントラネット内の画像管理サーバへ画像を記録できるシステムを提供することを目的とする。
【課題を解決するための手段】
【０００８】
ユーザが使用するユーザ端末と、画像の読取を行なう画像読取装置と、該画像読取装置における画像読取に関する設定情報を格納するスキャン設定サーバと、を含む画像読取システムであって、
前記スキャン設定サーバは、
ユーザ端末から、前記設定情報及び、読みとった画像データの格納先情報を受信する受信手段と、
受信した前記設定情報及び前記格納先情報を格納する格納手段と、
前記格納手段に格納された前記設定情報及び前記格納先情報に対応するＩＤを発行して前記ユーザ端末に送信するＩＤ送信手段と、
を有し、
前記画像読取装置は、
前記ＩＤを入力する入力手段と、
入力した前記ＩＤを前記スキャン設定サーバに送信する送信手段と、
送信した前記ＩＤの応答として、前記設定情報及び前記格納先情報を受信する受信手段と、
受信した前記設定情報を用いて画像読取を行なう画像読取手段と、
画像を読みとって得た画像データを前記格納先情報に応じた装置に対して送信するアップロード手段と、
を含むことを特徴とする。
【０００９】
ユーザが使用するユーザ端末と、画像の読取を行なう画像読取装置と、画像読取に関する履歴情報を格納するスキャン履歴サーバと、を含む画像読取システムであって、
前記スキャン履歴サーバは、
画像読取時の前記設定情報と、読みとった画像の格納先を示す格納先情報とを前記履歴情報として格納する格納手段と、
前記格納手段に格納された前記設定情報に対応するＩＤを発行するＩＤ発行手段と、
を有し、
前記画像読取装置は、
前記ＩＤを入力する入力手段と、
入力した前記ＩＤを前記スキャン履歴サーバに送信する送信手段と、
送信した前記ＩＤの応答として、前記設定情報及び前記格納先情報を受信する受信手段と、
受信した前記設定情報を用いて画像読取を行なう画像読取手段と、
画像を読みとって得た画像データを前記格納先情報に応じた装置に対して送信するアップロード手段と、
を含むことを特徴とする。
【００１０】
上記目的を達成するため、本発明に係る方法は、
ユーザが使用するユーザ端末と、画像の読取を行なう画像読取装置と、該画像読取装置における画像読取に関する設定情報を格納するスキャン設定サーバと、を含む画像読取システムの制御方法であって、
前記スキャン設定サーバにおいて、
ユーザ端末から、前記設定情報及び、読みとった画像データの格納先情報を受信する受信工程と、
受信した前記設定情報及び前記格納先情報を格納する格納工程と、
前記格納工程に格納された前記設定情報及び前記格納先情報に対応するＩＤを発行して前記ユーザ端末に送信するＩＤ送信工程と、
を有し、
前記画像読取装置において、
前記ＩＤを入力する入力工程と、
入力した前記ＩＤを前記スキャン設定サーバに送信する送信工程と、
送信した前記ＩＤの応答として、前記設定情報及び前記格納先情報を受信する受信工程と、
受信した前記設定情報を用いて画像読取を行なう画像読取工程と、
画像を読みとって得た画像データを前記格納先情報に応じた装置に対して送信するアップロード工程と、
を有することを特徴とする。
【００１１】
ユーザが使用するユーザ端末と、画像の読取を行なう画像読取装置と、画像読取に関する履歴情報を格納するスキャン履歴サーバと、を含む画像読取システムの制御方法であって、
前記スキャン履歴サーバにおいて、
画像読取時の前記設定情報と、読みとった画像の格納先を示す格納先情報とを前記履歴情報として格納する格納工程と、
前記格納工程に格納された前記設定情報に対応するＩＤを発行するＩＤ発行工程と、
を有し、
前記画像読取装置において、
前記ＩＤを入力する入力工程と、
入力した前記ＩＤを前記スキャン履歴サーバに送信する送信工程と、
送信した前記ＩＤの応答として、前記設定情報及び前記格納先情報を受信する受信工程と、
受信した前記設定情報を用いて画像読取を行なう画像読取工程と、
画像を読みとって得た画像データを前記格納先情報に応じた装置に対して送信するアップロード工程と、
を有することを特徴とする。
【発明の効果】
【００１２】
本発明によれば、簡便に利用できる画像読取管理システムを提供することができる。
【発明を実施するための最良の形態】
【００１３】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１４】
（概要）
以下に説明する実施形態は、スキャン設定・履歴ＩＤを用いた、インターネットからのスキャンデータの送付を実現するシステムである。具体的には、インターネット上に設置されたスキャナが、インターネット上の中継的なサーバから送り先情報を得て、イントラネット内のスキャン設定サーバにアクセスする。そして、そのスキャン設定サーバ内に保存されているスキャン設定情報または履歴情報を入手し、その設定情報または履歴情報を元に同様にイントラネット内に設置された画像管理サーバに対して画像を登録できるシステムである。
【００１５】
（第１実施形態）
図１は、本発明の第１実施形態に係るシステムの構成及び動作を示す図である。図１において、１１は、スキャン設定登録用ＰＣであり、スキャンＩＤを発行するために、ユーザが登録作業を行う一般的なＰＣである。１２は、スキャン設定登録用ＰＣ１１からのリクエストの元にスキャン設定を確定するスキャン設定サーバである。１６は、スキャン後の画像を管理する画像管理サーバである。これらの、ユーザＰＣ１１、スキャン設定サーバ１２、画像管理サーバ１６は、ＬＡＮケーブル等に接続されイントラネットの一部となっている。図９は、スキャン設定サーバ１２の内部構成を示す図であり、図１３は、画像管理サーバ１６の内部構成を示す図である。
【００１６】
図９に示すとおり、スキャン設定サーバ１２は、スキャンＩＤを発行するスキャンＩＤ発行部１２１６、スキャンＩＤを読出すスキャンＩＤ照合読出部１２１７の他、スキャンＩＤ用データベース１２１５１を含むシステムデータベース１２１５を備えている。スキャン設定サーバ１２はＣＰＵ１２１１、ＲＯＭ１２１３、ＲＡＭ１２１４を備えている。ＣＰＵ１２１１は、ＲＯＭ１２１３に格納されたプログラムをＲＡＭ１２１４へロードして実行することでスキャン設定サーバ全体の制御を司る。通信制御部１２１２はイントラネットを構築するＬＡＮなどのケーブルに接続し、イントラネット上のＰＣなどの他の端末との通信を制御する。システムＤＢ１２１５はデータベースを構成しており、上述のスキャンＩＤ格納ＤＢを有している。
【００１７】
画像管理サーバ１６は、図１３に示すように、ＣＰＵ１６１１、ＲＯＭ１６１３、ＲＡＭ１６１４を備えている。ＣＰＵ１６１１は、ＲＯＭ１６１３に格納されたプログラムをＲＡＭ１６１４へロードして実行することで画像管理サーバ１６全体の制御を司る。通信制御部１６１２はイントラネットを構築するＬＡＮなどのケーブルに接続し、イントラネット上のＰＣなどの他の端末との通信を制御する。また、画像管理サーバ１６は、後述する仮画像登録サーバ連係部１６１７や画像管理部１６１８、ユーザ管理部１６１９、検索部１６２０を備える。また更に、システムＤＢ１６１５内に画像管理データベース１６１５１、検索ＤＢ１６１５３、ユーザ管理ＤＢ１６１５２を含むシステムＤＢ１６１５を備える。
【００１８】
スキャン設定登録用ＰＣ１１とスキャン設定サーバ１２との間では、ＨＴＴＰプロトコルを用いて通信を行なう。ＰＣ１１上では、ウェブブラウザを用いてスキャン設定サーバ１２へアクセスして各設定を行い、設定完了後、スキャン設定サーバ１２よりスキャンＩＤを得る。スキャンＩＤはスキャン設定サーバに登録されているスキャン設定を一意に特定するＩＤである。
【００１９】
ＰＣ１１がスキャン設定サーバ１２にアクセスして行うスキャン設定の設定項目として、スキャン画像の最終保存先の画像管理サーバ１６中のフォルダパスを決める必要がある。そこでスキャン設定サーバ１２はスキャン設定登録用ＰＣ１１との通信と並行に、最終的な画像保管を行なう。画像管理サーバ１６と必要な情報の連携を行う。連携し確定する情報は、図４に示した、ユーザ名・パスワード・フォルダ名・ファイル名・アクセス権などである。
【００２０】
また、セキュリティを確保するためインターネットからのスキャン登録を許可したくない場合には、このスキャン設定時に、インターネットからの利用の可否を選択することができる。ここで、インターネットからの利用を禁止した場合、スキャン設定サーバ１２は、後述するスキャン設定エージェント１４から該当するスキャンＩＤの要求があったとしても、スキャン設定を返答しない。
【００２１】
画像管理サーバ１６の格納先の確定後、スキャン設定に対応したスキャンＩＤをＰＣ１１に発行する。また、インターネットからの利用に必要な、個別のスキャン設定サーバ１２を示す市外局番のようなサーバＩＤも同時に出力する。スキャンＩＤに加えてサーバＩＤを設けることで、複数の文書管理サーバが存在していた場合においても、サーバＩＤとスキャンＩＤとを組み合わせることで、スキャンＩＤをユニークなものとして特定することが出来る。以下、サーバＩＤとスキャンＩＤとを組み合わせたものをスキャンＩＤという。
【００２２】
スキャンＩＤは、各スキャン設定サーバ１２を示すサーバ指定部と、そのスキャン設定サーバ１２内の一意ＩＤ部からなる。例えば、サーバ指定部を３桁とすれば、344-abee34といったようなスキャンＩＤとなる。図７に、スキャン設定サーバ１２の固有のＩＤの例を示す。また、図８に、スキャンＩＤの例を示す。
【００２３】
スキャン設定サーバ１２の内部では、スキャンＩＤをキーとして図２に示すスキャン設定をスキャンＩＤ格納ＤＢ１２１５１に格納する。なお、スキャン設定としては、画像を読みとる際の設定として、白黒かカラーかを表わす情報、片面読取か両面読取かを示す情報、スキャンした後の画像データのフォーマット（ＰＤＦ、ＴＩＦＦなど）を含む。また、スキャンして得た画像データを格納する画像管理サーバ１６を指定する情報として、サーバ名またはメールアドレスや、インターネット経由で直接画像登録が可能であることを示すフラグが含まれる。また、画像管理サーバ１６にログインする際に必要なＯＵ（組織単位）名、ユーザ名やパスワードをも含む。更に、アップロード先の設定として、フォルダ名、ファイル名、アクセス権を含む。また更に、セキュリティ設定として、インターネットからの利用を許可するか、禁止するかを示すフラグが登録されている。
【００２４】
図１２に仮画像登録サービス１５の内部構成を示す図である。ＣＰＵ１５１１は、ＲＯＭ１５１３に格納されたプログラムをＲＡＭ１５１４へロードして実行することでスキャン設定サーバ全体の制御を司る。通信制御部１５１２はネットワークに接続し、イントラネット上のＰＣやインターネット上のＰＣや複写機などの他の端末との通信を制御する。システムＤＢ１５１５はデータベースを構成しており、登録先対応ＤＢ１５１５１を有している。
【００２５】
図１４は、スキャン設定サーバ１２がＰＣ１１などからスキャン設定要求を受け付けた場合の動作を説明するフローチャートである。本フローチャートは、スキャン設定サーバ１２のＣＰＵ１２１１によって実行される。ＰＣ１１などからスキャン設定とともにスキャン設定要求を受け付けると、ステップＳ１２０１で画像管理サーバ１６のフォルダ情報の確認を行う。受け付けたスキャン設定要求中のスキャン画像格納フォルダ名あるいはフルパス名が画像管理サーバ１６内にあるか否かを確認し、もし当該フォルダが画像管理サーバ１６内に存在しなければ新たにフォルダを作成する。そして、ステップＳ１２０２で新たなスキャンＩＤを生成し、ＰＣ１１へ通知する。ステップＳ１２０３では、生成したスキャンＩＤと、設定要求とともに受信したスキャン設定とを関連付けてスキャンＩＤ格納ＤＢ１２１５１に格納する。以上で処理が終了する。
【００２６】
図２０は、図１４のステップＳ１２０１での画像管理サーバ１６のフォルダ情報の確認処理に関連して、画像管理サーバ１６が実行する処理のフローチャートである。本フローチャートは画像管理サーバ１６のＣＰＵ１６１１が実行する。
【００２７】
スキャン設定サーバ１２から格納先等の確認リクエストを受信すると、ステップＳ１６０１で当該リクエスト中のユーザ情報が正しいか否かをチェックする。正しくない場合にはステップＳ１６０４で認証エラー通知をスキャン設定サーバ１２へ返送して処理を終了する。ステップＳ１６０１でユーザ情報が正しいと判定した場合には、ステップＳ１６０２へ進み、格納先情報が正しいか否かをチェックする。正しくない場合にはステップＳ１６０４へ進み、正しければ正しい格納先であることをスキャン設定サーバ１２へ通知する。正しい格納先であるか否かの判定とは、確認を要求されている格納位置（ディレクトリやフォルダ）が画像管理サーバ１６中の既存の格納位置であるか否かを判定することでもよい。既存の格納位置でない場合には新たにフォルダやディレクトリを作成することが可能であれば正しい格納位置であると判定してもよい。
【００２８】
一方で、ユーザが複写機などを操作して、スキャンＩＤを用いてスキャン設定サーバ１２からスキャン設定を取得する場合におけるスキャン設定サーバ１２の動作を図１５に基づいて説明する。本フローチャートは、スキャン設定サーバ１２のＣＰＵ１２１１によって実行される。複写機などからスキャンＩＤとともにスキャン設定の読み出し要求を受け付けると、ステップＳ１２５１で、スキャンＩＤに基づいてスキャンＩＤ格納ＤＢ１２１５１を検索する。検索の結果当該スキャンＩＤがスキャンＩＤ格納ＤＢ１２１５１内に格納されているか否かを判定する（ステップＳ１２５２）。格納されていないと判定した場合には（ステップＳ１２５２でＮＧ）、当該スキャンＩＤが未登録である旨を要求元の複写機などへ通知する。当該スキャンＩＤが登録されている場合（ステップＳ１２５２でＮＧ）ステップＳ１２５３へ遷移する。
【００２９】
ステップＳ１２５３では、要求元がスキャン設定エージェント１４等のイントラネット外からの要求である場合、当該スキャンＩＤで特定されるスキャン設定におけるセキュリティ設定の、インターネットからの利用の可否に関する設定を参照する。そして、可であればスキャン設定を要求元へ返送してよいと判定し、否であればスキャン設定を要求元に返送してはいけないものと判定する。返送してよいと判定した場合はステップＳ１２５４で、当該スキャンＩＤに対応するスキャン設定を要求元へ返送する。一方、返送付加と判定した場合には、当該スキャンＩＤに対応するスキャン設定はイントラネット外へは返送できない旨の通知を行う。硫黄で処理が終了する。
【００３０】
複写機１３は、例えば、公共施設など不特定多数が利用できる環境に設置されている、スキャナ機能を有する複合機（ＭＦＰ）である。複写機１３は、スキャナ結果をＰＤＦやＴＩＦＦなどのフォーマットに変換し、サーバに登録する機能を有する。図１において、スキャン設定サーバ１２はイントラネット内に接続されているのに対し、複写機1３はインターネット上（イントラネット外）に接続しているものとする。図１０に、複写機１３の内部構成図を示す。
【００３１】
コントローラユニット１３００は、画像入力デバイスであるスキャナ１３１７や画像出力デバイスであるプリンタ１３１８と接続する。ＣＰＵ１３０１はＲＯＭ１３０７に格納されているブートプログラムによりオペレーションシステム（ＯＳ）を立ち上げる。そして当該ＯＳ上でＨＤＤ（ハードディスクドライブ）１３０８に格納されているアプリケーションプログラムを実行させることによって各種処理を実行する。ＣＰＵ１３０１の作業領域としてはＲＡＭ１３０２が用いられる。なお、ＲＡＭ１３０２は、作業領域とともに、画像データを一時記憶するための画像メモリ領域を提供する。また、ＨＤＤ１３０８は、上記アプリケーションプログラムとともに、画像データを格納する。
【００３２】
ＣＰＵ１３０１は、ＲＯＭ１３０７およびＲＡＭ１３０２に接続されている。またＣＰＵ１３０１は、システムバス１３１９を介して操作部Ｉ／Ｆ（インタフェース）１３０３、ネットワークＩ／Ｆ１３０５、モデム１３０６およびイメージバスＩ／Ｆ１３０９に接続されている。また、スキャンＩＤ処理部１３１０もシステムバス１３１９に接続されている。スキャンＩＤ処理部１３１０は操作部を介して入力されたスキャンＩＤに基づいて、スキャン設定をスキャン設定エージェント１４やスキャン設定サーバ１２へ要求するために必要な処理を実行する。
【００３３】
操作部Ｉ／Ｆ１３０３は、タッチパネルを有する操作部１３０４とのインターフェースであり、操作部１３０４に表示する画像データを操作部１３０４に対して出力する。また、操作部Ｉ／Ｆ１３０３は、操作部１３０４においてユーザにより入力された情報（設定情報等）をＣＰＵ１３０１に送出する。ネットワークＩ／Ｆ１３０５は、ネットワークに接続され、ネットワークを介してネットワーク上の各装置との間で情報の入出力を行う。また、モデム１３０６は、公衆回線に接続され、公衆回線を介して情報の入出力を行う。イメージバスＩ／Ｆ１３０９は、画像データを高速で転送する画像バス１３２０とシステムバス１３０９とを接続し、データ構造を変換するためのバスブリッジである。画像バス１３２０上には、ラスタイメージプロセッサ（以下、ＲＩＰという）１３１２、デバイスＩ／Ｆ１３１３、スキャナ画像処理部１３１４、プリンタ画像処理部１３１５、画像回転部１３１６および画像圧縮伸張・密度変換部１３１１が設けられている。
【００３４】
ＲＩＰ１３１２は、外部から受信した印刷データ中のＰＤＬコードをビットマップイメージに展開するプロセッサである。デバイスＩ／Ｆ１３１３には、スキャナ部１３１７およびプリンタ部１３１８が接続され、デバイスＩ／Ｆ１３１３は、画像データの変換を行う。スキャナ画像処理部１３１４は、スキャナ部１３１７を介して入力された画像データに対し、補正、加工、編集等の処理を行う。プリンタ画像処理部１３１５は、プリンタ部１３１８を介してプリント出力される画像データに対して、補正・解像度変換などを行う。画像回転部１３１６は、画像データの回転を行う。画像圧縮伸張・密度変換部１３１１は、多値画像データをＪＰＥＧデータに、２値画像データをＪＢＩＧ、ＭＭＲ、ＭＨなどの圧縮データに変換するとともに、その伸張処理を行う。また、画素密度変換処理もおこなう。  また、複写機１３は、ＡＤＳＬ等ブロードバンドネットワーク回線によってのインターネットへの接続環境に接続されている。そして、接続環境を経由してスキャン設定エージェント１４等への通信が可能である。
【００３５】
複写機１３は、スキャン画像の送付先やスキャナ設定について、スキャンＩＤを用いてスキャン設定エージェント１４経由でスキャン設定サーバ１２へ問い合わせる。そしてスキャン設定サーバ１２から送信されたスキャン設定を、スキャン設定エージェントを介して受信する。
【００３６】
複写機１３は、入手したスキャン設定を表示し、ユーザに確認する。ユーザは表示された各種設定を確認し、スタートボタンを押してスキャンを開始する。スキャン設定にはスキャンしたデータを送信する宛先も指定されている。複合機１３はスキャン設定に従ってコントローラユニットの制御の下、スキャナ部１３１７で読み取った画像データを指定のフォーマットに変換後、指定の宛先へ送信する。
【００３７】
スキャン設定エージェント１４は、特定多数の利用者を想定した複写機１３からのスキャン設定要求の問い合わせを待ち受け、複写機に代わってスキャン設定をスキャン設定サーバ１２へ要求するエージェントである。スキャン設定エージェント１４は、複写機１３以外の不図示の複数の複写機からのスキャン設定読み出し要求も受け付ける。図１１に、スキャン設定エージェント１４の内部構成図を示す。図１１に示すように、スキャン設定エージェント１４は、システムデータベース１４１５内部に、スキャン設定サーバの一覧データベース１４１５１を備え、スキャン設定サーバ１２の対応表２０１を保持している。
【００３８】
その対応表２０１を用いてスキャン設定サーバＩＤを元に、適切なスキャン設定サーバ１２に問い合わせる処理を行う。そして、スキャン設定サーバ１２から返ってきたスキャン設定を、問い合わせ元の複写機１３に返す機能を有している。
【００３９】
ＣＰＵ１４１１は、ＲＯＭ１４１３に格納されたプログラムをＲＡＭ１４１４へロードして実行することでスキャン設定エージェント全体の制御を司る。通信制御部１４１２はネットワークに接続し、インターネット上のＰＣや複写機などの他の端末との通信を制御する。対応表作成・送信部１４１８は、後述する最終登録先と仮登録先との対応表を作成して、仮画像登録サービス１５へ送信する。
【００４０】
スキャン設定を複合複写機１３に送付する場合には、後述する仮画像登録サービス１５に対して、最終登録アドレスと仮登録アドレスとの対応を送付する。図３に、最終登録アドレスと仮登録アドレスとの対応関係を示す。
【００４１】
スキャン設定サーバ１２がイントラネット内部に存在する場合、スキャン設定に含まれるホスト名やユーザ名などの情報はイントラネット内部でのみ有効な情報である場合がある。このようなイントラネット内部でのみ有効なスキャン設定に基づいてイントラネット外部(インターネット)に存在する複写機がスキャン画像を送信しても、イントラネット外部では当該ホスト名の情報を適切に処理することが出来ない。よって、正しい送信先に画像を送信できない。
【００４２】
このような不都合を回避するために、仮画像登録サービス１５がホスト名の情報やユーザ名の情報を適宜変換することで適切な送信先にスキャン画像を送信することを可能にする。
【００４３】
一方、複合複写機１３に対しては、仮登録先アドレスを送付する。仮登録先アドレスは、仮画像登録サービス自身を示すアドレスである。仮画像登録サービス１５は、スキャン設定エージェント１４から図３のような最終登録先と仮登録先の対応表３０１を得る。その対応表を保持し、複合複写機１３からの画像登録処理を待ち受ける。
【００４４】
複写機１３から仮画像登録サービスに対しての画像登録要求が発生すると、対応表のユーザ名・パスワードの認証を行う。そこで正しい場合のみ接続を許可し、複写機１３のスキャンデータを受け取る。認証に失敗した場合には、受け取り処理を行わない。受け取ったスキャンデータに対しては、図３の対応表を元に、画像を最終保存先である、画像管理サーバ１６に転送する。
【００４５】
画像管理サーバ１６は、スキャン設定サーバ１２からのリクエストの基づき、必要なスキャン設定情報の連携を行う。ここで、不適切なユーザ名・パスワードによる接続は不許可とする処理や、フォルダに対するアクセス権の確認などを画像管理サーバ１６上のＤＢに対して行う。
【００４６】
仮画像登録サービス１５からのリクエストに対して、ユーザ名・パスワードの確認を行った後、最終的な保管フォルダ等に適切なアクセス権で保管する。
【００４７】
＜システムの動作＞
次に、本実施形態に係るシステムの全体的な動作について説明する。まず、スキャン設定登録用ＰＣ１１が、ユーザの操作に基づき、ブラウザを用いてスキャン設定サーバ１２にアクセスし、設定画面に従ってスキャン設定項目を登録する（Ｓ１０１）。設定登録内容は、図２に示したとおりの情報である。
【００４８】
次に、スキャンＩＤを発行する（Ｓ１０２）。つまりスキャン設定に対して、各スキャン設定サーバ１２で一意なＩＤを発行する。また、スキャン設定サーバ１２のＩＤも同時に発行する。これは、スキャン設定エージェント１４経由のイントラ外からの参照時には、そのスキャン設定サーバＩＤを用いてスキャン設定を一意にするためである。
【００４９】
スキャンＩＤとスキャン設定サーバＩＤをスキャン設定登録用ＰＣ１１に対して回答する。また、設定された登録に対しては、スキャン設定サーバ１２内のＤＢ等に保持し次のスキャン設定時に参照する。以上が、本システムに関するサービスを受けるための予備的な作業である。
【００５０】
次に、実際に不特定多数の利用者を想定した複合複写機１３からのスキャンの実施について述べる。ここではまず、スキャンＩＤの入力から実際にスキャン設定を得るまでの部分について述べる。
【００５１】
複合複写機１３にスキャンＩＤを入力する（Ｓ１０３）。まず、複合複写機１３のモードをスキャンＩＤによるスキャン登録モードに変更する。これは、メニュー等を複合複写機１３のタブレットに表示し選択するなどで実現する。
【００５２】
次に、スキャンＩＤを入力する。ここでは、Ａの処理で登録した「スキャン設定サーバＩＤ」と「スキャンＩＤ」を入力し登録したスキャン設定を一意にする。最後に、検索ボタンまたは確認ボタンを押す。この操作によって、スキャン設定エージェント１４に対する問い合わせ処理（Ｓ１０４）が開始される。複写機１３は、入力されたスキャンＩＤ情報を、登録されているスキャン設定エージェント１４に送信する。
【００５３】
次に、スキャン設定エージェント１４は、スキャン設定サーバ１２へ、スキャン設定の問い合わせを行なう（Ｓ１０５）。即ち、スキャン設定エージェント１４は、複写機１３からの問い合わせメッセージ中のスキャンＩＤを用いて、スキャン設定サーバ１２の特定を行う。その情報を元に、スキャン設定サーバ１２へスキャン設定ＩＤを送付し、問い合わせ処理を行う。
【００５４】
スキャン設定サーバ１２は、スキャン設定を読出し、スキャン設定エージェント１４へ設定を転送する（Ｓ１０６）。つまり、スキャン設定サーバ１２は、受け取ったスキャンＩＤをキーにしてスキャン設定ＤＢ内を検索し、登録されているスキャン設定を取り出し、スキャン設定エージェント１４に転送する。
【００５５】
スキャン設定エージェント１４は、受け取ったスキャン設定を、要求元の複合複写機１３に送信する（Ｓ１０７）。
【００５６】
ここで、スキャン設定としては、イントラネット内の最終的な画像管理サーバ１６を指し示している。しかし、複合複写機１３からはイントラネット内の画像管理サーバ１６に対してはファイアーウオール等の制限によって直接接続することができない。そこで、スキャン設定の内、図３の情報をもつ最終登録アドレスと仮登録アドレスとの対応表を作成する。そして仮登録アドレスを複合複写機１３に送る。
【００５７】
次に、スキャン設定エージェント１４は、最終登録アドレスと仮登録アドレスの対応表を仮画像登録サーバ・サービス１５に送信する（Ｓ１０８）。仮画像登録サービス１５はその情報を元に複合複写機１３からの登録を待ち受け、また転送処理を行う。
【００５８】
一方、複合複写機１３は、受け取った設定を元にスキャン設定を行う（Ｓ１０９）。そして、ユーザに設定の確認と原稿を置く指示を行う（Ｓ１１０）。ユーザは確認を行い、スキャンする原稿を設置する。そして、ユーザのスキャン実施ボタンが押されたら、ダウンロードしたスキャン設定に基づきスキャンを行う（Ｓ１１１）。
【００５９】
複合複写機１３は、スキャン結果をステップＳ１０７で得ている仮登録アドレスに基づき仮画像登録サービス・サーバ１５に対して登録する（Ｓ１１２）。仮画像登録サービス１５では、ステップＳ１０８で入手した対応表を元に、画像管理サーバ１６を導き出す。そして、適切な画像管理サーバ１６にスキャンデータを転送する（Ｓ１１３）。
【００６０】
画像管理サーバ１６は、受信したスキャンデータを仮画像登録サーバより受け取り、指定の登録先に画像を格納する。この時は、画像管理サーバ１６の一般的なアクセス権等の確認を行う。
【００６１】
上記説明したシステムの動作における、複写機１３の動作を示すフローチャート図１６に示す。本フローチャートは複写機１３のコントローラユニット１３００内のＣＰＵ１３０１によって実行される。
【００６２】
ステップＳ１３０１で、操作部１３０４を介してユーザからのスキャンＩＤの入力を受け付ける。そして、受け付けたスキャンＩＤをスキャン設定エージェント１４へ送信し、問合せを行う。当該問合せに対して、スキャン設定エージェント１４から不正ＩＤであるという応答が帰ってきた場合（ステップＳ１３０３でＹｅｓ）、ステップＳ１３０５で操作部１３０４にエラー通知を行ない処理を終了する。  一方、不正ＩＤでない場合には、スキャン設定エージェント１４からスキャン設定が返送され、当該スキャン設定を操作部１３０４に表示する（ステップＳ１３０４）。
【００６３】
その後、操作部１３０４に表示したスキャン設定に対してユーザが設定の変更を行なわなかった場合には、ステップＳ１３０６、Ｓ１３０８と進み、受信したスキャン設定でスキャンを実行するよう制御する。一方、操作部１３０４に表示したスキャン設定に対してユーザが設定の変更を行った場合には、ステップＳ１３０７、Ｓ１３０８と進み、ユーザにより変更されたスキャン設定に基づいてスキャンを実行するように制御する。
【００６４】
そして、ステップＳ１３０８で、スキャナにセットされた原稿の読み取りを行いスキャンデータを生成し、ステップＳ１３０９でスキャンデータをスキャン設定に基づく宛先へ送信する。
【００６５】
図１７は上記説明したシステムの動作における、スキャン設定エージェント１４の動作を示すフローチャートである。本フローチャートは、スキャン設定エージェント１４のＣＰＵ１４１１が実行する。
【００６６】
本フローチャートは、複写機１３からスキャンＩＤとともにスキャン設定の取得要求を受け付けたことに応答して実行開始する。ステップＳ１４０１は、複写機１３から受信したスキャンＩＤ中に示されている、スキャン設定サーバを特定する情報を抽出し、スキャン設定サーバ一覧ＤＢ１４１５１で該当するスキャン設定サーバを検索する。
【００６７】
ステップＳ１４０２で、該当するスキャン設定サーバが見つからなかった場合には、複写機１３に対して要求されたスキャン設定サーバが登録されていない旨を応答して本フローチャートを終了する。一方、ステップＳ１４０２で、該当するスキャン設定サーバが見つかった場合には、ステップＳ１４０３で、当該スキャン設定サーバにスキャンＩＤを転送し、スキャン設定を要求する。スキャン設定サーバに対する要求に対してエラー応答があった場合（ステップＳ１４０４でＮＧ）、複写機１３に対して読み出し禁止の通知を行う。例えば、スキャン設定がイントラネット外での使用を禁止するように設定されている場合が当てはまる。
【００６８】
一方、スキャン設定サーバからの応答がエラーでない場合スキャン設定サーバからスキャン設定を取得し、ステップＳ１４０５へ進み、直接格納可能か否かを判定する。直接格納可能な場合とは、スキャン設定サーバから取得したスキャン設定に記述されている送信宛先の情報が、複写機１３でそのまま適用可能な宛先である場合である。例えば、送信宛先がイントラネット内で複写機がイントラネットがいである場合、送信宛先が電子メールアドレスで記述されている場合には直接格納可能である。一方、送信宛先がイントラネット内のみで有効なアドレス（例えば、ローカルＩＰアドレスなど）である場合には、直接格納可能でないと判断する。
【００６９】
直接格納可能な場合には、ステップＳ１４０６へ進み、複写機１３にスキャン設定を送付して処理を終了する。一方、直接格納が不可な場合には、ステップＳ１４０７へ進み、仮画像登録サービス１５に図３のような対応表を送付する。そして、スキャン設定サーバから取得したスキャン設定のうち、送信先のアドレスを仮画像登録サービス１５に変更したスキャン設定に書き替えたものを複写機１３へ送信する。そして処理を終了する。
【００７０】
図１８、図１９は仮画像登録サービス１５における処理を示すフローチャートである。これらフローチャートは、仮文書登録サーバのＣＰＵ１５１１が実行する。図１８のフローは、スキャン設定エージェント１４からの要求に応答して実行開始する。ステップＳ１５０１において、スキャン設定エージェント１４から送られた対応表を受信して、登録先対応ＤＢ１５１５１に登録して本フローの処理を終了する。
【００７１】
図１９のフローチャートは複写機１３から送信されたスキャンデータを受信したことに応答して実行開始する。複写機１３が仮画像登録サービス１５に対してスキャンデータを送信するケースは、スキャン設定に記述されている送信宛先が直接格納不可な宛先（図１７のステップＳ１４０５でＮｏ）の場合である。
【００７２】
複写機からスキャンデータとともに、スキャンを実行したユーザを特定する情報等（ユーザ名やパスワードなど）を受信すると、ステップＳ１５５１で図３の対応表を参照して、正しいユーザＩＤ／パスワードであるかを認証する。正しく認証されなかった場合には（ステップＳ１５５２でＮｏ）、ステップＳ１５５４へ進み、複写機１３に対して認証エラーを通知する。一方正しく認証された場合には、ステップＳ１５５３へ進み、図３の対応表を参照して最終登録アドレスへ受信したスキャンデータを転送する。これにより複写機１３から受信したスキャンデータをスキャン設定で設定されていた送信宛先へ送信することが可能になる。
【００７３】
図２１は画像管理サーバ１６における動作を示すフローチャートである。本フローチャートは、画像管理サーバ１６のＣＰＵ１６１１によって実行される。まず、仮画像登録サービス１５からのスキャンデータを受信した場合、ステップＳ１６５３でスキャンデータに付加されたユーザ情報が正しいか否かをチェックする。正しくない場合はステップＳ１６５６へ進み、仮画像登録サービス１５に対して認証エラーを通知する。一方ユーザ情報が正しい場合にはステップＳ１６５４へ進む。また、複写機１３から仮画像登録サービス１５を介さずに直接すキャンデータが送信された場合もステップＳ１６５４から処理を開始する。
【００７４】
ステップＳ１６５４では、スキャンデータに付加された格納先情報が正しい情報であるか否かをチェックする。格納先情報が正しくない場合にはステップＳ１６５６でエラーを通知して処理を終了する。一方、格納先情報が正しければ当該スキャンデータを要求された格納先へ格納して処理を終了する。
【００７５】
以上の実施形態によれば、スキャン・登録実施時に複合複写機上の操作の低減を行える。複合複写機のコントロールパネルでの操作は、数桁のＩＤのみの入力であり。占有する時間を減らすことができる。また、スキャニング設定を再利用することができる。同じ操作の繰り返し時に、再度設定を行う必要が無い。またこれはスキャン履歴ＩＤを用いれば、一度スキャン・登録実施した操作を再利用することが可能である。さらに、イントラネット上の画像管理サーバに対してもＩＤを用いてインターネットからの画像登録を実現できる。直接接続できないインターネット上の複合複写機からのスキャン登録が実現できる。
【００７６】
（第２実施形態）
第１実施形態では、スキャン設定サービスから、複写機１３に設定を送るステップＳ１０７で、複合複写機１３に対して仮登録先アドレスを送り、仮登録サーバ・サービスに対して最終登録アドレスと仮登録アドレスとの対応表を送っていた。
【００７７】
第２実施形態では、図５に示すように、Ｓ１０７では、仮登録サーバに対しては特別な指示は行わない。複合複写機１３に対して、最終登録先と仮登録先の二つのアドレスを同時に送る。そして、スキャン完了後のＳ１１２で、画像と同時に最終登録アドレスも仮登録サーバに送付する。仮画像登録サービス１５は受け取った最終登録アドレスを判断し画像を第１実施形態と同様に登録し（Ｓ１１３）完了する。
【００７８】
（第３実施形態）
第１実施形態では、スキャン設定を登録する手段としてＰＣ１１を用いた。しかし、第３実施形態では、図６に示すように、複合複写機２１からのスキャン履歴を用いてスキャン履歴サーバ２２に登録し、スキャン履歴ＩＤを得る。それ以外の手段は、第１実施形態や第２実施形態と同様の手順によって、インターネット上の複合複写機１３からのスキャン・画像登録を行う。具体的には、図２２に示すように、スキャン履歴サーバ２２は、スキャンＩＤを発行し（Ｓ２２０１）、発行したスキャンＩＤをスキャン履歴サーバ２２内のデータベースに格納する（Ｓ２２０２）。
【００７９】
（他の実施形態）
以上、本発明の実施形態について詳述したが、本発明は、複数の機器から構成されるシステムに適用しても良いし、また、一つの機器からなる装置に適用しても良い。
【００８０】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００８１】
その場合、プログラムの機能を有していれば、オブジェクトコード、インタプリタにより実行されるプログラム、ＯＳに供給するスクリプトデータ等、プログラムの形態を問わない。
【００８２】
プログラムを供給するための記録媒体としては、例えば、フロッピー（登録商標）ディスク、ハードディスク、光ディスク、光磁気ディスクがある。また、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００８３】
その他、クライアントＰＣのブラウザを用いてインターネットサイトに接続し、本発明に係るプログラムそのもの、もしくは更に自動インストール機能を含むファイルをハードディスク等の記録媒体にダウンロードするという利用方法もある。また、本発明に係るプログラムを構成するプログラムコードを複数のファイルに分割し、それぞれのファイルを異なるホームページからダウンロードすることによっても実現可能である。つまり、本発明の機能処理をコンピュータで実現するためのプログラムを複数のユーザに対してダウンロードさせるＷＷＷサーバも、本発明の範疇に含まれる。  また、本発明に係るプログラムを暗号化してＣＤ−ＲＯＭ等の記憶媒体に格納してユーザに配布してもよい。所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００８４】
また、プログラムの指示に基づき、コンピュータ上で稼動しているＯＳなどが、実際の処理の一部または全部を行ない、その処理によっても前述した実施形態の機能が実現され得る。
【００８５】
さらに、ＰＣの機能拡張ユニットに備わるメモリに本発明に係るプログラムが書き込まれ、そのプログラムに基づき、その機能拡張ユニットに備わるＣＰＵなどが実際の処理の一部または全部を行なう場合も、本発明の範疇に含まれる。
【図面の簡単な説明】
【００８６】
【図１】本発明の第１実施形態に係るシステムを示す図である。
【図２】スキャン設定の内容を示す図である。
【図３】最終登録アドレスと仮登録アドレスとの対応表を示す図である。
【図４】画像管理サーバとの連携を示す図である。
【図５】第２実施形態に係るシステムの構成を示す図である。
【図６】第３実施形態に係るシステムの構成を示す図である。
【図７】スキャン設定サーバの固有のＩＤ例を示す図である。
【図８】スキャンＩＤの例を示す図である。
【図９】スキャン設定サーバのハード構成図である。
【図１０】スキャン設定サービスと連携機能を持つ複合複写機のハードウェア構成図である。
【図１１】スキャン設定サービスのハード構成図である。
【図１２】仮画像登録サーバのハード構成図である。
【図１３】画像管理サーバのハード構成図である。
【図１４】スキャン設定処理を示すフローチャートである。
【図１５】スキャン設定サービスからの設定読み出し処理を示すフローチャートである。
【図１６】複写機のスキャン時の処理を示すフローチャートである。
【図１７】スキャン設定サービスにおける処理フローチャートである。
【図１８】図３の対応表の受け取り処理を示すフローチャートである。
【図１９】複写機からの画像登録処理を示すフローチャートである。
【図２０】設定サーバとの連携処理を示すフローチャートである。
【図２１】仮画像登録サーバからの登録処理を示すフローチャートである。
【図２２】スキャン履歴の登録処理を示すフローチャートである。
【図１】
2007336399.tif 000003
【図２】
2007336399.tif 000004
【図３】
2007336399.tif 000005
【図４】
2007336399.tif 000006
【図５】
2007336399.tif 000007
【図６】
2007336399.tif 000008
【図７】
2007336399.tif 000009
【図８】
2007336399.tif 000010
【図９】
2007336399.tif 000011
【図１０】
2007336399.tif 000012
【図１１】
2007336399.tif 000013
【図１２】
2007336399.tif 000014
【図１３】
2007336399.tif 000015
【図１４】
2007336399.tif 000016
【図１５】
2007336399.tif 000017
【図１６】
2007336399.tif 000018
【図１７】
2007336399.tif 000019
【図１８】
2007336399.tif 000020
【図１９】
2007336399.tif 000021
【図２０】
2007336399.tif 000022
【図２１】
2007336399.tif 000023
【図２２】
2007336399.tif 000024